(57)【要約】      （修正有）【課題】特に介護施設において使用され、対象者の排泄状態の検知を好適に実現するための排泄検知システムを提供する。【解決手段】対象者の排泄を検知する為におむつに装着されたセンサ装置４と、センサ装置より情報を受信する中継装置３と、中継装置より情報を受信する情報処理装置２と、を備えた排泄検知システム１であって、センサ装置は、排泄を検知処理するセンサと、センサ情報を発信する手段とを備え、中継装置は、バッテリ装置と、センサ情報を受信する手段と、中継情報を送信する手段と、所定の待機時間、発信されたセンサ情報の受信を待機する待機状態並びに、受信を行う受信状態を有する動作状態の遷移を制御する手段と、を備え、情報処理装置は、中継装置よりセンサ情報及びバッテリ情報を受信する手段と、受信したセンサ情報及びバッテリ情報を用いて分析処理を行い、イベントログデータを格納する手段と、を備える。【選択図】図１
2020081018.tif 000002
【特許請求の範囲】
【請求項１】
対象者の排泄を検知する為におむつに装着されたセンサ装置と、１又は複数の前記センサ装置より情報を受信する中継装置と、１又は複数の前記中継装置より情報を受信する情報処理装置と、を備えた排泄検知システムであって、
前記センサ装置は、対象者の排泄を検知処理するセンサと、
前記センサ装置の識別情報及び前記検知処理結果を有するセンサ情報を発信する手段と、を備え、
前記中継装置は、電源供給を行う為のバッテリ装置と、
１又は複数の前記センサ装置より発信された前記センサ情報を受信する手段と、
前記センサ情報、前記中継装置の識別情報並びに、前記バッテリ装置の状態を示すバッテリ情報を有する中継情報を送信する手段と、
所定の待機時間、発信された前記センサ情報の受信を待機する待機状態並びに、前記センサ情報の受信を行う受信状態を有する動作状態の遷移を制御する手段と、を備え、
前記情報処理装置は、１又は複数の前記中継装置より前記センサ情報及びバッテリ情報を受信する手段と、
受信した前記センサ情報及びバッテリ情報を用いて、分析処理を行う手段と、を備えることを特徴とする排泄検知システム。
【請求項２】
前記センサ装置は、導電性の導電部が設けられた吸収性物品に着脱可能に構成され、
前記吸収性物品への装着時に、前記センサ及び導電部が電気的に接続されることを特徴とする請求項１に記載の排泄検知システム。
【請求項３】
前記動作状態は、前記中継情報を送信する為の送信状態を有し、
前記中継装置は、前記待機時間の経過による前記待機状態の解除後、前記受信状態に動作状態を遷移させ、前記受信状態の解除後、前記送信状態に動作状態を遷移させることを特徴とする請求項１又は請求項２に記載の排泄検知システム。
【請求項４】
前記中継装置は、１又は複数のスイッチと、予め設定された複数の待機時間のパターン及び、各パターンに対応する前記スイッチの入力値の組み合わせを記憶し、
前記待機時間は、前記スイッチの入力に応じて、前記パターンの中から設定されることを特徴とする請求項１〜３の何れかに記載の排泄検知システム。
【請求項５】
前記分析処理は、前記センサ装置の識別情報及びセンサ情報を用いて、前記対象者の排泄状態を判断する処理と、
前記中継装置の識別情報及びバッテリ情報を用いて、前記中継装置のバッテリ状態を判断する処理と、を含むことを特徴とする請求項１〜４の何れかに記載の排泄検知システム。
【請求項６】
前記情報処理装置は、イベントログデータを格納する手段と、
前記イベントログデータに基づいて、通知処理を行う手段と、を備え、
前記通知処理は、通知対象と判断された前記対象者又は中継装置に関する複数の通知表示のうち、その一部の通知表示と、更に別の通知表示と、を切り替えて管理者画面に表示する為の処理を含むことを特徴とする請求項１〜５の何れかに記載の排泄検知システム。
【請求項７】
前記センサ装置の識別情報及び、当該センサ装置を使用する対象者情報の対応関係を記憶し、
格納される前記イベントログデータは、前記中継装置より受信した前記センサ装置の識別情報及び、前記対応関係に基づき設定された前記対象者情報を有することを特徴とする請求項６に記載の排泄検知システム。
【請求項８】
格納される前記イベントログデータは、イベントの日時情報を有し、
前記情報処理装置は、前記イベントログデータを検索処理する為のデータログ画面を表示処理し、表示処理結果を送信する手段を備え、
前記データログ画面は、検索期間を指定する為の期間指定部と、指定された前記検索期間に属する前記日時情報を有するイベントログデータの対象者情報を抽出し、前記対象者情報を検索対象として選択可能に表示する対象者選択部と、を備えることを特徴とする請求項７に記載の排泄検知システム。
【請求項９】
おむつに装着されたセンサ装置と、１又は複数の前記センサ装置より情報を受信する中継装置と、１又は複数の前記中継装置より情報を受信する情報処理装置と、を用いて対象者の排泄を検知する為の排泄検知方法であって、
対象者の排泄を検知処理するセンサを備えた前記センサ装置が、前記センサ装置の識別情報及び前記検知処理結果を有するセンサ情報を発信するステップを実行し、
電源供給を行う為のバッテリ装置を備えた前記中継装置が、所定の待機時間、発信された前記センサ情報の受信を待機する待機状態並びに、前記センサ情報の受信を行う受信状態を有する動作状態の遷移を制御するステップと、
１又は複数の前記センサ装置より発信された前記センサ情報を受信するステップと、
前記センサ情報、前記中継装置の識別情報並びに、前記バッテリ装置の状態を示すバッテリ情報を有する中継情報を送信するステップと、を実行し、
前記情報処理装置が、１又は複数の前記中継装置より前記センサ情報及びバッテリ情報を受信するステップと、
受信した前記センサ情報及びバッテリ情報を用いて分析処理を行うステップと、実行することを特徴とする排泄検知方法。
【発明の詳細な説明】
【技術分野】
【０００１】
本発明は、対象者の排泄状態を検知する為の排泄検知システムおよび、排泄検知方法に関する。
【背景技術】
【０００２】
近年、高齢化社会が進み、病院や介護施設等においては、例えば寝たきりの被介護者を介護することが増えている。例えば寝たきりの対象者を介護するには、対象者の排泄の管理を適切に行う必要がある。特に、対象者が自ら排泄を行うことができず、おむつ等の吸収性物品の着用を余儀なくされている場合、対象者による排尿の有無や、吸収性物品の交換の要否を適切に管理する必要がある。
【０００３】
そのような状況に鑑みて、被介護者の着用する吸収性物品にセンサ装置を装着し、センサ装置によって、対象者の排泄状態を検知する為の技術が提供されている。
【０００４】
例えば、特許文献１のように、尿を吸収する吸収性物品に取り付けられた複数のセンサ素子が、インピーダンスの変化を測定し、測定したインピーダンスの変化を経時的に処理して、排尿動態を解析するための排尿解析部を含む排尿動態解析装置に関する技術が知られている。
【０００５】
また、特許文献２のように、使い捨ておむつに搭載され、前記使い捨ておむつを装着した生体から排泄物の排泄があったことを検出する排泄検出装置に関する技術が知られている。
【先行技術文献】
【特許文献】
【０００６】
【特許文献１】特開２０１７−２０７３１７号公報
【特許文献２】特開２０１１−１４７５０５号公報
【発明の概要】
【発明が解決しようとする課題】
【０００７】
しかしながら、従来技術は、対象者の着用する吸収性物品に装着されたセンサ装置にて検出したデータを、通知やアラート等を行う為の終端側装置に中継するゲートウェイ装置（以下、中継装置と呼称する）について、電池駆動として利用することが想定されていない。
【０００８】
そのため、例えば、介護施設などでのセンサ装置の利用を想定した場合、早朝・夜間には自室にて対象者が活動し、日中はレクリエーション室に移動して活動を行うといったスケジュールが組まれる場合があるが、中継装置を移動させて使用したり、設置場所を再配置するといったことができなかった。
【０００９】
また、あるセンサ装置を使用していた対象者が介護施設を退所した場合等において、そのセンサ装置を別の対象者に再び使用したい要望があるが、従来技術ではそのような要望に対応することができなかった。
【００１０】
本発明は、上記のような実状に鑑みてなされたものであり、特に介護施設において使用され、対象者の排泄状態の検知を好適に実現するための排泄検知システムを提供することを解決すべき課題とする。
【課題を解決するための手段】
【００１１】
上記課題を解決するために、本発明は、対象者の排泄を検知する為におむつに装着されたセンサ装置と、１又は複数の前記センサ装置より情報を受信する中継装置と、１又は複数の前記中継装置より情報を受信する情報処理装置と、を備えた排泄検知システムであって、前記センサ装置は、対象者の排泄を検知処理するセンサと、前記センサ装置の識別情報及び前記検知処理結果を有するセンサ情報を発信する手段と、を備え、前記中継装置は、電源供給を行う為のバッテリ装置と、１又は複数の前記センサ装置より発信された前記センサ情報を受信する手段と、前記センサ情報、前記中継装置の識別情報並びに、前記バッテリ装置の状態を示すバッテリ情報を有する中継情報を送信する手段と、所定の待機時間、発信された前記センサ情報の受信を待機する待機状態並びに、前記センサ情報の受信を行う受信状態を有する動作状態の遷移を制御する手段と、を備え、前記情報処理装置は、１又は複数の前記中継装置より前記センサ情報及びバッテリ情報を受信する手段と、受信した前記センサ情報及びバッテリ情報を用いて分析処理を行う手段と、を備えることを特徴とする。
【００１２】
また、本発明は、おむつに装着されたセンサ装置と、１又は複数の前記センサ装置より情報を受信する中継装置と、１又は複数の前記中継装置より情報を受信する情報処理装置と、を用いて対象者の排泄を検知する為の排泄検知方法であって、対象者の排泄を検知処理するセンサを備えた前記センサ装置が、前記センサ装置の識別情報及び前記検知処理結果を有するセンサ情報を発信するステップを実行し、電源供給を行う為のバッテリ装置を備えた前記中継装置が、所定の待機時間、発信された前記センサ情報の受信を待機する待機状態並びに、前記センサ情報の受信を行う受信状態を有する動作状態の遷移を制御するステップと、１又は複数の前記センサ装置より発信された前記センサ情報を受信するステップと、前記センサ情報、前記中継装置の識別情報並びに、前記バッテリ装置の状態を示すバッテリ情報を有する中継情報を送信するステップと、を実行し、前記情報処理装置が、１又は複数の前記中継装置より前記センサ情報及びバッテリ情報を受信するステップと、受信した前記センサ情報及びバッテリ情報を用いて分析処理を行うステップと、実行することを特徴とする。
【００１３】
このような構成とすることで、中継装置を待機状態に遷移させることができ、中継装置における電池消費量を低減させながら、センサ情報の収集を実現することが可能となる。また、情報処理装置において、センサ装置で取得したセンサ情報を収集すると共に、中継装置のバッテリ状態をモニタリングすることができ、介護施設等で取り回しの良い、バッテリ駆動の中継装置を用いて、センサ情報の収集を実現することが可能となる。
【００１４】
本発明の好ましい形態では、前記センサ装置は、導電性の導電部が設けられた吸収性物品に着脱可能に構成され、前記吸収性物品への装着時に、前記センサ及び導電部が電気的に接続されることを特徴とする。
このような構成とすることで、センサ情報の収集を行うことが可能となる。
【００１５】
本発明の好ましい形態では、前記動作状態は、受信した前記中継情報を送信する為の送信状態を有し、前記中継装置は、前記待機時間の経過による前記待機状態の解除後、前記受信状態に動作状態を遷移させ、前記受信状態の解除後、前記送信状態に動作状態を遷移させることを特徴とする。
このような構成とすることで、中継装置を待機状態に遷移させることができ、中継装置における電池消費量を低減させながら、センサ情報の収集を実現することが可能となる。
【００１６】
本発明の好ましい形態では、前記中継装置は、１又は複数のスイッチと、予め設定された複数の待機時間のパターン及び、各パターンに対応する前記スイッチの入力値の組み合わせを記憶し、前記待機時間は、前記スイッチの入力に応じて、前記パターンの中から設定されることを特徴とする。
このような構成とすることで、中継装置の待機時間を容易に設定し、運用することが可能となる。
【００１７】
本発明の好ましい形態では、前記分析処理は、前記センサ装置の識別情報及びセンサ情報を用いて、前記対象者の排泄状態を判断する処理と、前記中継装置の識別情報及びバッテリ情報を用いて、前記中継装置のバッテリ状態を判断する処理と、を含むことを特徴とする。
このような構成とすることで、センサ情報及びバッテリ情報に基づいて、対象者別の排泄状態及び中継装置のバッテリ状態を把握することができる。
【００１８】
本発明の好ましい形態では、前記情報処理装置は、イベントログデータを格納する手段と、前記イベントログデータに基づいて、通知処理を行う手段と、を備え、前記通知処理は、通知対象と判断された前記対象者又は中継装置に関する複数の通知表示のうち、その一部の通知表示と、更に別の通知表示と、を切り替えて管理者画面に表示する為の処理を含むことを特徴とする。
このような構成とすることで、通知が複数件発生した場合であっても、一部の通知表示と、更に別の通知表示と、を切り替えながら表示することで、個々の通知内容の視認性を落とさず、必要な情報を知らせることができる。
【００１９】
本発明の好ましい形態では、前記センサ装置の識別情報及び、当該センサ装置を使用する対象者情報の対応関係を記憶し、格納される前記イベントログデータは、前記中継装置より受信した前記センサ装置の識別情報及び、前記対応関係に基づき設定された前記対象者情報を有することを特徴とする。
このような構成とすることで、センサ情報に対応付けられた対象者を、イベントログデータに含めることができる。そのため、同じセンサ装置を複数人の対象者が共有して使用する場合も、過去のイベントログデータに関する対象者が誰なのか、区別することができる。
【００２０】
本発明の好ましい形態では、格納される前記イベントログデータは、イベントの日時情報を有し、
前記情報処理装置は、前記イベントログデータを検索処理する為のデータログ画面を表示処理し、表示処理結果を送信する手段を備え、前記データログ画面は、検索期間を指定する為の期間指定部と、指定された前記検索期間に属する前記日時情報を有するイベントログデータの対象者情報を抽出し、前記対象者情報を検索対象として選択可能に表示する対象者選択部と、を備えることを特徴とする。
このような構成とすることで、同じセンサ装置を複数人の対象者が共有して使用する場合も、過去のイベントログデータに関する対象者が誰なのか、効率的に検索することができる。
【発明の効果】
【００２１】
本発明によれば、特に介護施設において使用され、対象者の排泄状態の検知を好適に実現するための排泄検知システムを提供することができる。
【図面の簡単な説明】
【００２２】
【図１】本発明の実施形態に係る排泄検知システムの構成を示す図である。
【図２】本発明の実施形態に係るセンサ装置の装置構成を示す図である。
【図３】本発明の実施形態に係る中継装置の装置構成を示す図である。
【図４】本発明の実施形態に係るセンサ装置における発信間隔と中継装置における検出間隔の概要を示すシーケンス図である。
【図５】本発明の実施形態に係る情報処理装置のハードウェア構成図である。
【図６】本発明の実施形態に係るデータベースに格納された情報の一例を示す図である。
【図７】本発明の実施形態に係る管理者画面の画面表示例である。
【図８】本発明の実施形態に係る管理者画面の画面表示例である。
【発明を実施するための形態】
【００２３】
以下、図面を用いて、本発明の実施形態に関する排泄検知システムについて説明する。なお、以下に示す実施形態は本発明の一例であり、本発明を以下の実施形態に限定するものではなく、様々な構成を採用することもできる。本実施形態では、例えば、介護施設において利用する場合について説明するが、例えば個人宅での利用など、利用する目的、場所には特に制限はない。
【００２４】
本実施形態では情報処理装置を含む排泄検知システムの構成、動作等について説明するが、同様の構成の方法、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２５】
一実施の形態におけるシステム構成を示す図１を参照すると、排泄検知システムは排泄検知システム１として具体化されている。この排泄検知システム１は、情報処理装置２、複数の中継装置３、複数のセンサ装置４及び、通信ネットワーク５を備える。情報処理装置２は、１又は複数の中継装置３と通信ネットワーク５を介して連携する。通信ネットワーク５は、インターネットなどのＩＰ（Internet Protocol）網などとから構成される。なお、以下の説明では、不明確にならない限り通信ネットワーク５の介在を省略する。
【００２６】
また、各中継装置３は、１又は複数のセンサ装置４と無線通信を行う。本実施形態では、センサ装置４は、無線通信規格として、Ｂｌｕｅｔｏｏｔｈ（登録商標）の信号を発信し、中継装置３はその信号を受け取る。なお、中継装置３及びセンサ装置４間の無線通信は、Ｂｌｕｅｔｏｏｔｈ（登録商標）規格に限らず、ｚｉｇｂｅｅ（登録商標）や、独自のプロトコル等、他の無線通信規格によって実現されて構わない。
【００２７】
図２（ａ）に示すように、センサ装置４は、対象者の排泄を検知処理するセンサ４１と、制御部４２と、通信部４３と、電源供給を行う為のバッテリ装置４４と、を備える。
【００２８】
制御部４２は、演算装置（ＣＰＵ）、主記憶装置（ＲＡＭ）、補助記憶装置を備える。また、センサ装置４は、機能構成要素として、センサ装置４の識別情報及び、センサ４１による検知処理結果を有するセンサ情報を発信する発信処理手段４０１を備える。
【００２９】
センサ装置４において上述した機能構成要素を論理的に実現するには、補助記憶装置にセンサプログラムをアプリケーションプログラムとしてインストールしておく。そして、センサ装置４においては、電源投入を契機に、演算装置がこの処理プログラムを主記憶装置に展開して実行する。
【００３０】
図２（ｂ）は、センサ装置４の装着例を示す図である。センサ装置４は、おむつ等の吸収性物品６に着脱可能に構成されている。吸収性物品６は、物品本体６１及び、センサ装置４の装着位置から排泄が行われる領域にわたって延びる導電性の導電部６２を備え、センサ装置４は、センサ４１及び導電部６２が電気的に接続されるように吸収性物品６に装着される。
【００３１】
本実施形態では、発信処理手段４０１は、センサ情報として、センサ値と、バッテリ装置４４のバッテリ情報と、動作カウンタ値と、を送信する。センサ値は、センサ４１で取得したインピーダンス、加速度及び、温度を含む。バッテリ情報は、バッテリ装置４４のバッテリ量（電池残量）を把握するための情報であり、本例では、電池電圧である。動作カウンタ値は、センサ装置４より発信された情報を簡易的に識別するための一定の周期で、１単位の発信ごとに、異なる値を取るような数値である。
【００３２】
センサ値としては、センサ４１により取得した、導電部６２を含む回路のインピーダンスと、加速度と、温度とを、センサ値として取得する。例えば、インピーダンスによって排泄状態の把握を行い、加速度によって対象者の姿勢の把握を行い、温度によって対象者の体調の把握を行う。情報処理装置２は、このセンサ値を受け取り、排泄の有無の判断等を行う。ここで、使用するセンサの種類、検出対象には特に制限はなく、排泄状態が観測可能な手段であれば、例えば、臭気センサや湿度センサ等、どのようなセンサを用いてもよい。
【００３３】
図３（ａ）に示すように、中継装置３は、待機状態の設定を行う為のスイッチ３１と、制御部３２と、通信部３３と、電源供給を行う為のバッテリ装置３４と、を備える。図３（ｂ）は、中継装置３の正面側斜視図であり、図３（ｃ）は、中継装置３の背面側斜視図である。図３（ｂ）（ｃ）に示すように、中継装置３は、装置本体３５に、電源接続部３６を備え、電源接続状態でも使用することが可能である。本実施形態では、スイッチ３１は４つのスライドスイッチを含んだＤＩＰ（Dual In-line Package）スイッチであり、複数のスライドスイッチに対する入力に応じて、後述する待機状態の時間が設定される。中継装置３に設けられる物理接点スイッチは、ボタンスイッチやディップスイッチ、ロータリースイッチ等、他の物理接点スイッチであってもよい。また、待機時間の設定を行う為の物理接点スイッチを中継装置３に設ける構成に代えて又は加えて、制御処理装置２等のパーソナルコンピュータやスマートフォンから操作可能なソフトウェアスイッチによって、待機時間の設定が可能であってもよい。なお、画面表示されるソフトウェアスイッチは、物理接点スイッチに準じたＧＵＩウィジェットであってもよいし、ラジオボタンやドロップダウンリストなどであってもよい。また、待機時間の秒数や分数などを、数値入力する構成としてもよい。
【００３４】
制御部３２は、演算装置（ＣＰＵ）、主記憶装置（ＲＡＭ）、補助記憶装置を備える。また、中継装置３は、機能構成要素として、受信処理手段３０１と、送信処理手段３０２と、状態制御手段３０３と、を備える。
【００３５】
中継装置３において上述した機能構成要素を論理的に実現するには、補助記憶装置に中継プログラムをアプリケーションプログラムとしてインストールしておく。そして、中継装置３においては、電源投入を契機に、演算装置がこの処理プログラムを主記憶装置に展開して実行する。
【００３６】
受信処理手段３０１は、１又は複数のセンサ装置４より発信されたセンサ情報を受信する。送信処理手段３０２は、１又は複数のセンサ装置４より受け取った１又は複数のセンサ情報、当該中継装置３の識別情報並びに、バッテリ装置３４の状態を示すバッテリ情報を有する中継情報を送信する。
【００３７】
状態制御手段３０３は、中継装置３の動作状態を遷移させる。本実施形態では、中継装置３が取りうる動作状態として、受信状態と、待機状態と、送信状態と、を有する。待機状態は、所定の待機時間、センサ装置４より発信されたセンサ情報の受信を待機する状態である。受信状態は、センサ装置４より発信されたセンサ情報を待ち受け、受信する状態である。送信状態は、受信状態において受信したセンサ情報に基づいて、中継情報を送信する状態である。状態制御手段３０３は、所定の待機時間の経過により待機状態を解除し、受信状態に動作状態を遷移させる。また、受信状態の解除後、送信状態に動作状態を遷移させる。受信状態は、所定の受信時間の経過により、解除される。
【００３８】
補助記憶装置（制御部３２）は、予め設定された複数の待機時間のパターン及び、各パターンに対応するスイッチの入力値の組み合わせを記憶しており、状態制御手段３０３における待機時間は、スイッチの入力に応じて、記憶されたパターンの中から設定される。本実施形態では、スイッチ３１（ＤＩＰスイッチ）として含まれる複数のスライドスイッチの組み合わせによって、待機時間が設定される。
【００３９】
複数の待機時間のパターン及び、各パターンに対応するスイッチの入力値の組み合わせとは、例えば、連続する２つのスライドスイッチの状態が、００の場合には待機時間は１８０秒、１０の場合には待機時間は６０秒、０１の場合には待機時間は３０秒、１１の場合には待機時間はなし、といった形で対応付けられ、記憶されている。
【００４０】
図４（ａ）は、センサ装置４における発信間隔と、中継装置３における検出間隔の概要を示すシーケンス図である。例えば、それぞれのセンサ装置４（４ａ、４ｂ、・・・）は、毎秒１回等の間隔でセンサ情報を発信している。中継装置３は、スイッチ３１によって設定された待機時間（ｗ（ｓ））の間、センサ情報のスキャンを行わない。待機時間が経過したならば、状態制御手段３０３は、動作状態を受信状態に遷移させる。受信状態に遷移した中継装置３は、センサ情報のスキャンが可能となる。
【００４１】
予め設定された受信時間（ｄ（ｓ））が経過すると、状態制御手段３０３は、受信状態から、受信したセンサ情報に基づいて中継情報を送信する為の送信状態に移行させる。送信状態の時間（ｔ（ｓ））は、受信状態で受信したセンサ情報の情報量や、中継装置３アップロード速度等に応じて変化する。送信が完了したならば、状態制御手段３０３は、動作状態を待機状態に変化させる。
【００４２】
図４（ｂ）は、中継情報の一例を示す図である。中継情報は、センサ情報としてセンサ装置４より発信され、受信した０、１又は複数のセンサ情報と、中継データ（ヘッダ）とを有している。センサ情報は、個々のセンサ装置４の識別情報（図示例における「センサ装置のＭＡＣアドレス」）と、センサ装置４と中継装置３との距離（図示例における「センサ装置の距離（ＲＳＳＩ）」）と、センサ装置４からの受信データ（図示例における「センサ装置からの受信データ」）と、を有する。また、センサ装置４より発信されたセンサ情報に含まれるセンサデータ長を有している。受信データは、センサ情報として送信されたセンサ値と、バッテリ装置４４で取得したバッテリ情報と、動作カウンタ値と、を含む。
【００４３】
中継データは、中継装置３の識別情報（図示例における「中継装置のＭＡＣアドレス」）と、スイッチ３１によって設定された待機時間と、中継装置３のバッテリ情報（図示例における「中継装置の電池電圧」）と、送信するセンサ情報の数（図示例における「送信するセンサデータ数」）と、を有する。また、中継情報全体のデータ長（図示例における「全体のデータ長」）と、中継装置３にインストールされた中継プログラムのバージョン（図示例における「中継装置のソフトバージョン」）を有している。
【００４４】
情報処理装置２は、データ通信機能を有し、図５に例示するように、ハードウェア及び機能の構成要素を含んでいる。すなわち、情報処理装置２は、ハードウェア構成要素として、演算装置（ＣＰＵ（Central Processing Unit））２１と、作業用メモリとしての主記憶装置（ＲＡＭ（Random Access Memory））２２とを備える。
【００４５】
情報処理装置２は、ＯＳ（Operating System）、アプリケーションプログラム、及び各種情報（データを含む）を書換え可能に格納するＨＤＤやＳＳＤ、フラッシュメモリ等の補助記憶装置２３と、通信制御部２４と、ＮＩＣ（Network Interface Card）などの通信インタフェース（ＩＦ）部２５などとを、更に備える。
【００４６】
情報処理装置２は、後に詳述する機能構成要素として、受信処理手段２０１、登録処理手段２０２、分析処理手段２０３、通知処理手段２０４、表示処理手段２０５及びデータベースＤＢを備える。
【００４７】
情報処理装置２において上述した機能構成要素（２０１−２０５）を論理的に実現するには、補助記憶装置２３に情報処理プログラムをアプリケーションプログラムとしてインストールしておく。そして、情報処理装置２においては、電源投入を契機に、演算装置（ＣＰＵ）２１がこの処理プログラムを主記憶装置（ＲＡＭ）２２に展開して実行する。
【００４８】
受信処理手段２０１は、中継装置３より中継情報を受け取る。登録処理手段２０２は、受信処理手段２０１で受信した中継情報又は、情報処理装置２に対する入力操作に基づいて、データベースＤＢへのデータの登録、更新、削除等を行う。
【００４９】
なお、図１では、パーソナルコンピュータとして情報処理装置２を例示しており、後述する管理者画面の表示などは、コンピュータにインストールしたクライアントアプリケーションとしての情報処理プログラムに基づいて表示する構成を例示する。例えば、情報処理装置２をサーバ装置とし、クライアントコンピュータにインストールした管理者画面の表示プログラム又はウェブブラウザを介して、管理者画面を閲覧する構成としてもよい。
【００５０】
図６はデータベースＤＢに格納された情報の一例を示す図である。データベースＤＢは、利用する個々の中継装置３について登録された情報である中継装置データと、利用する個々のセンサ装置４について登録された情報であるセンサ装置データと、後述する分析処理によって生成されるイベントログデータと、イベントの種類を事前定義しておくためのイベント種類データと、おむつの種類を事前定義しておくためのオムツ種類データと、を有している。
【００５１】
図６（ａ）は、中継装置データの一例を示す図である。中継装置データは、個々の中継装置３のＩＤ、名称、中継装置３の識別情報（図示例における「ＭＡＣアドレス」）、中継装置３の有効／無効設定、属性、外出検知時間、登録済みフラグ、中継装置データの更新時間、電池切れ判定回数、中継装置３にインストールされた中継プログラムのバージョン、中継装置電池電圧、当該中継装置３に設定された待機時間及び、最終受信時刻を有している。
【００５２】
属性は、中継装置３の使用目的に基づいて設定される。本実施形態では、属性は、センサ情報の中継処理用途の属性と、中継処理及び外出検知用途の属性と、を含む。外出検知用途の属性が設定された中継装置３は、例えば対象施設や対象者の居室の出入口に設置される。中継装置３であるセンサ装置４の信号を検出し、その後、所定の外出検知時間の間、その信号が検知できなかった場合には、外出判断を行う。本実実施形態では、後述する分析処理手段２０３によって外出判断が行われるが、中継装置３が外出判断を行う為の手段を有していても構わない。
【００５３】
登録済みフラグは、中継装置３として使用に必要な情報が登録されている場合はＴＲＵＥとなり、必要な情報が登録されていない場合はＦＡＬＳＥとなる。中継装置データの新規登録は、後述する表示処理手段２０５及び登録処理手段２０２により実施される。また、電池切れ判定回数は、所定の回数、中継装置３よりデータの受信ができなかった場合に、電池切れ判定を行う為に用いられる。電池切れ判定は、後述する分析処理手段２０３によって行われる。
【００５４】
本実施形態における中継装置データは、受信処理手段２０１が、中継装置３より中継情報（中継データ）を受信することで、登録処理手段２０２によって更新される。中継データには、中継処理を行った中継装置３の情報が含まれている。受信処理手段２０１が、図４（ｂ）に示す中継データを受信すると、中継データ及び、中継装置データに含まれる中継装置３の識別情報（図４（ｂ）における「中継装置のＭＡＣアドレス」及び、図６（ａ）における「ＭＡＣアドレス」）に基づいて、更新の対象となる中継装置データが特定され、対象となる情報が更新される。
【００５５】
本実実施形態では、中継データに含まれた中継プログラムのバージョン（図示例における「中継装置のソフトバージョン」）に基づいて、中継装置データにおけるバージョンが更新され、中継データにおけるバッテリ情報（図示例における「中継装置の電池電圧」）に基づいて、中継装置データにおける中継装置電池電圧が更新され、中継データに含まれる待機時間によって、中継装置データにおける待機時間が更新される。また、登録処理手段２０２は、受信処理手段２０１で受信した中継情報又は、情報処理装置２に対する入力操作に基づいて更新が行われた時刻を、中継装置データにおける更新時間として更新し、中継情報を最後に受信した受信時刻に基づいて、最終受信時刻を更新する。
【００５６】
図６（ｂ）は、センサ装置データ及びおむつ種類データの一例を示す図である。センサ装置データは、センサ装置４の識別情報（図示例における「ＭＡＣアドレス」）及び、当該センサ装置４を利用する対象者を示す対象者情報（図示例における「利用者名」）を有し、センサ装置４と当該センサ装置４を利用する対象者の対応関係を定義する。また、センサ装置データは更に、個々のセンサ装置４のＩＤ、センサ装置４の有効／無効設定、センサ装置４が装着されたおむつ種別、登録済みフラグ、センサ装置データの更新時間、電池切れ判定回数、当該センサ装置４に関するセンサ情報を送信した最先の中継装置３の識別情報（図示例における「中継装置ＭＡＣアドレス」）、おむつセンサ値、電池電圧、温度センサ値、寝姿勢、距離、動作カウンタ、デバイス名及び、最終受信時刻を有している。
【００５７】
おむつ種類データは、おむつの種類のＩＤ、おむつの種類の名前（例えば、製品名及びサイズ）、しきい値１〜５及び、更新時間を有している。登録処理手段２０２は、情報処理装置２に対する入力操作に基づいて、おむつ種類データの名前や、しきい値などの更新が行われた時刻を、おむつ種類データにおける更新時間として更新する。しきい値１〜５は、受信したセンサ値に基づいて、後述する分析処理手段２０３での分析処理及び、表示処理手段２０５による表示内容の決定の為に用いられる。
【００５８】
登録済みフラグは、センサ装置４として使用に必要な情報が登録されている場合はＴＲＵＥとなり、必要な情報が登録されていない場合はＦＡＬＳＥとなる。センサ装置データの新規登録は、後述する表示処理手段２０５及び登録処理手段２０２により実施される。また、電池切れ判定回数は、所定の回数センサ装置４よりデータの受信ができなかった場合に、電池切れ判定を行う為に用いられる。電池切れ判定は、後述する分析処理手段２０３によって行われる。
【００５９】
本実施形態におけるセンサ装置データは、受信処理手段２０１が、中継装置３より中継情報（中継データ及びセンサ情報）を受信することで、登録処理手段２０２によって更新される。受信処理手段２０１が、図４（ｂ）に示す中継情報を受信すると、センサ情報及び、センサ装置データに含まれるセンサ装置４の識別情報（図４（ｂ）における「センサ装置のＭＡＣアドレス」及び、図６（ｂ）における「ＭＡＣアドレス」）に基づいて、更新の対象となるセンサ装置データが特定され、対象となる情報が更新される。本実実施形態では、中継データに含まれた中継装置３の識別情報（図４（ｂ）における「中継装置のＭＡＣアドレス」）に基づいて、センサ装置データにおける「中継装置ＭＡＣアドレス」が更新される。
【００６０】
受信データにおけるセンサ値（図４（ｂ）における「センサ装置からの受信データ」）に基づいて、センサ装置データにおけるおむつセンサ値、温度センサ値及び、寝姿勢が更新され、受信データにおけるバッテリ情報（図４（ｂ）における「センサ装置からの受信データ」）に基づいて、センサ装置データにおける電池電圧が更新され、センサ情報におけるセンサ装置４と中継装置３との距離（図示例における「センサ装置の距離（ＲＳＳＩ）」）に基づいて、センサ装置データにおける距離が更新され、受信データにおける動作カウンタ値（図４（ｂ）における「センサ装置からの受信データ」）に基づいて、センサ装置データにおける動作カウンタが更新される。なお、中継装置３の配置によっては、同じセンサ装置４からのセンサ情報を、複数の中継装置３が受信し、中継情報を送信する場合がある。情報処理装置２は、同じセンサ装置４からの動作カウンタが共通するセンサ情報を複数受信した場合は、センサ装置からの距離が近いデータ（信号強度が強いデータ）に基づいて中継情報に含まれる距離やセンサ値等を設定し、当該中継情報を送信した中継装置３に基づいて、中継装置ＭＡＣアドレスを更新する。
【００６１】
また、登録処理手段２０２は、受信処理手段２０１で受信した中継情報又は、情報処理装置２に対する入力操作に基づいて更新が行われた時刻を、センサ装置データにおける更新時間として更新し、中継情報を最後に受信した受信時刻に基づいて、最終受信時刻を更新する。
【００６２】
図６（ｃ）は、イベント種類データ及びイベントログデータの一例を示す図である。イベント種類データは、イベントの種類のＩＤ、イベントの種類に応じて表示されるメッセージ及び、更新時間を有している。登録処理手段２０２は、情報処理装置２に対する入力操作に基づいて、イベント種類データのメッセージの変更や、イベント種類データの登録等が行われた時刻を、イベント種類データにおける更新時間として更新する。メッセージは、分析処理手段２０３での分析処理結果に基づく、通知処理手段２０４での通知処理の為に用いられる。
【００６３】
分析処理手段２０３は、受信処理手段２０１が受信した情報に基づいて、分析処理を行う。本実施形態では、分析処理手段２０３は、受信処理手段２０１が受信した中継情報に用いて行う分析処理と、中継情報に基づいて登録処理手段２０２が更新した中継装置データ及びセンサ装置データを用いて行う分析処理と、を含む。
【００６４】
分析処理は、センサ装置４の識別情報及びセンサ情報を用いて対象者の排泄状態を判断する処理と、センサ装置４の識別情報及び外出検知時間を用いて対象者の外出を判断する処理と、センサ装置４の識別情報及びバッテリ情報を用いて、センサ装置４のバッテリ状態を判断する処理と、中継装置３の識別情報及びバッテリ情報を用いて、中継装置３のバッテリ状態を判断する処理と、を含む。
【００６５】
判断処理の結果、事前定義された特定のイベント条件に該当する場合、分析処理手段２０３はイベントが発生したと判断し、登録処理手段２０２は、イベントログデータを登録する。なお、中継情報を受信する都度、イベントログデータを登録しておき、イベントログデータに対して分析処理手段２０３による分析処理を行って、イベント条件の判断を行ってもよい。
【００６６】
排泄状態の判断は、中継情報の有するセンサ装置４の識別情報及びセンサ値と、識別情報に対応するセンサ装置データのおむつ種類と、対応するおむつ種類データにおけるしきい値１〜５と、を用いて行われる。排泄状態の判断の結果、おむつが、しきい値１〜５の何れの段階に属するのか、判断される。所定のしきい値に含まれる場合（例えば、しきい値３〜５に該当する場合）は、排泄が行われたと判断し、登録処理手段２０２はイベントログデータを登録する。
【００６７】
外出の判断は、センサ装置データによって特定される中継装置３が中継処理及び外出検知用途の属性を設定されている場合に、一定時間以内に同じ中継装置３経由でのセンサ装置データの更新が行われなかった場合に、外出の判断を行う。外出が行われたと判断した場合、登録処理手段２０２は、イベントログデータを登録する。
【００６８】
バッテリ状態の判断は、中継情報の有する中継装置３又はセンサ装置４の識別情報並びにバッテリ情報を用いて行われる。バッテリ状態の判断の結果、バッテリ装置の電池残量が判断される。所定の電池残量の場合は、バッテリ装置の要交換を判断し、登録処理手段２０２はイベントログデータを登録する。また、一定時間、中継装置３の最終受信時刻が更新されなかった場合は、バッテリ装置の電池切れを判断する。
【００６９】
イベントログデータは、イベントログのＩＤ、イベントの日時情報（図示例における「発生日時」）、イベント種類データによって定義され、分析処理結果に基づき決定するイベント内容、中継装置３のバッテリ情報（図示例における「中継装置電池電圧」）、分析対象の中継装置ＩＤ、分析対象の中継装置名、分析対象のセンサ装置ＩＤ、分析対象の対象者情報（図示例における「利用者名」）、おむつセンサ値、センサ装置４のバッテリ情報（図示例における「電池電圧」）、温度センサ値、寝姿勢、距離及び、対処済みフラグを有している。
【００７０】
ここで、中継装置３に関するイベントログデータの場合には、センサ装置４に関する情報（バッテリ情報やセンサ装置ＩＤ、利用者名、おむつセンサ値、温度センサ値、寝姿勢及び、距離）等は含まれていなくてもよい。同様に、センサ装置４に関するイベントログデータの場合には、中継装置３に関する情報等は含まれていなくてもよい。
【００７１】
センサ装置４に関するイベントログデータの場合、格納されるイベントログデータは、中継装置３より受信したセンサ情報の有するセンサ識別情報に基づいて、センサ装置データより特定される対象者情報（本実施形態では、「利用者名」）を有する。
【００７２】
対処済みフラグは、当該イベントログに対する対象が行われているか否かを示し、登録処理手段２０２によって登録がされた際は、ＦＡＬＳＥとなる。バッテリの交換や、おむつの交換などが実施され、対処済みフラグとしてＦＡＬＳＥが設定された中継装置３又はセンサ装置４について、新たに取得した中継情報で適切な値が入力されたと分析処理手段２０３によって判断された場合、登録処理手段２０２は、対処済みフラグをＴＲＵＥに更新し、対処が完了したことを登録する。
【００７３】
センサ装置データ、中継装置データ等の新規登録は、表示処理手段２０５及び登録処理手段２０２により実施される。表示処理手段２０５は、管理者画面を表示処理し、その表示処理結果を送信する。図７、図８は、管理者画面の画面表示例である。図７（ａ）は、管理者画面としての一覧画面を表示した場合の画面表示例である。管理者画面Ｗ１は、通知表示Ｗ２と、一覧画面Ｗ３と、を備える。
【００７４】
通知処理手段２０４は、イベントログデータに基づいて、通知処理を行う。本実施形態では、対処済みフラグがＦＡＬＳＥとして登録されているイベントログデータについて、通知処理手段２０４は通知対象として判断し、通知処理を行う。
【００７５】
通知処理は、通知対象と判断された対象者又は中継装置に関する複数の通知表示のうち、その一部の通知表示と、更に別の通知表示と、を切り替えて画面に表示する為の処理を含む。通知対象であるイベントログデータが複数存在する場合、通知処理手段２０４は、その一部の表示（図示例の通知表示Ｗ２では、ある対象者に関する１件の通知表示）と、その他の通知表示と、を一定の時間間隔でローテーションしながら通知する。
【００７６】
また、新たな通知対象が出現した場合は、ダイアログＷ１１を表示し、通知処理を行う。通知対象であるイベントログデータが複数件存在する場合、ダイアログＷ１１には、複数件の通知対象の一部又は全部に関する通知表示Ｗ１２がなされる。なお、通知処理として、更に、事前設定されたメールアドレスや電話番号等の通知先に対して、メッセージ送信や架電による通知を行う構成であってもよい。
【００７７】
一覧画面Ｗ３は、状態表示パネルＷ３１を備え、状態表示パネルＷ３１には、センサ装置データにおいて、有効かつ登録済みフラグがＴＲＵＥのセンサ装置４に関する情報が表示される。各センサ装置４に関する情報としては、センサ装置データに基づいて表示される利用者ラベルＷ３２と、中継装置データの名称に基づいて表示される場所名ラベルＷ３３と、センサ装置データ及びおむつ種類データに基づいて表示されるおむつの状態を示す状態アイコンＷ３４と、センサ装置データ及びおむつ種類データに基づいて表示される排泄状態を示すおむつゲージＷ３５と、センサ装置データに基づいて表示されるバッテリ状態を示す電池ゲージＷ３６と、センサ装置データに基づいて表示されるセンサＩＤラベルＷ３７と、が表示されている。
【００７８】
図７（ｂ）は、管理者画面としてのおむつセンサ登録画面を表示した場合の画面表示例である。おむつセンサ登録画面Ｗ４は、おむつセンサ表示パネルＷ４１を備え、おむつセンサ表示パネルＷ４１には、無効又は、登録済みフラグがＦＡＬＳＥのものを含む、データベースＤＢにセンサ装置データとして登録された全てのセンサ装置４に関する情報が表示される。
【００７９】
各センサ装置４に関する情報として、センサ装置データを登録、取り消し、削除、を行う為の登録処理ボタンＷ４２と、センサ装置データ及びおむつ種類データに基づいて表示されるおむつの状態を示す状態アイコンＷ４３と、センサ装置データの有効／無効の設定を行う有効チェックボックスＷ４４と、センサ装置データに基づいて表示されるセンサＩＤテキストボックスＷ４５と、センサ装置データに基づいて表示される利用者テキストボックスＷ４６と、対象者が利用するオムツを選択する為に、おむつ種類データに基づいて表示されるおむつ種類コンボボックスＷ４７と、センサ装置データに基づいて表示されるＭＡＣアドレステキストボックスＷ４８と、センサ装置データに基づいて表示されセンサ装置４のデバイス名を示すデバイス名ラベルＷ４９と、が表示されている。おむつセンサ表示パネルＷ４１において情報を入力し、登録処理ボタンＷ４２を押下することで、登録処理手段２０２は、データベースＤＢにデータを登録する。
【００８０】
図８（ａ）は、管理者画面としての受信機登録画面を表示した場合の画面表示例である。受信機登録画面Ｗ５は、受信機表示パネルＷ５１を備え、受信機表示パネルＷ５１には、無効又は、登録済みフラグがＦＡＬＳＥのものを含む、データベースＤＢに中継装置データとして登録された全ての中継装置３に関する情報が表示される。
【００８１】
各中継装置３に関する情報として、中継装置データを登録、取り消し、削除、を行う為の登録処理ボタンＷ５２と、中継装置データに基づいて表示されるバッテリ状態の状態を示す状態アイコンＷ５３と、中継装置データの有効／無効の設定を行う有効チェックボックスＷ５４と、中継装置データの名称に基づいて表示される場所名テキストボックスＷ５５と、中継装置データの属性（外出検知用途の有／無）の設定を行う出入口チェックボックスＷ５６と、中継装置データの外出検知時間の設定を行う検知時間入力ボックスＷ５７と、中継装置データに基づいて表示されるバッテリ状態を示す電池ゲージＷ５８と、中継装置データに基づいて表示されるＭＡＣアドレステキストボックスＷ５９と、中継装置データに基づいて表示される待機時間を示す周期ラベルＷ６０と、中継装置データに基づいて表示されるソフトバージョンを示すＶｅｒ．ラベルＷ６１と、が表示される。
【００８２】
図８（ｂ）は、管理者画面としてのデータログ画面を表示した場合の画面表示例である。データログ画面Ｗ７は、検索入力部Ｗ７１と、データロググリッドＷ７２と、を備える。データロググリッドＷ７２には、検索入力部Ｗ７１によって設定された条件に該当するイベントログデータが表示される。
【００８３】
データログ画面Ｗ７の検索入力部Ｗ７１は、検索期間を指定する為の期間指定部Ｗ７１１と、指定された検索期間に属する日時情報を有するイベントログデータに含まれた対象者情報を抽出し、対象者情報（図示例では、「利用者名」）を検索対象として選択可能に表示する対象者選択部Ｗ７１２と、を備える。期間指定部Ｗ７１１に期間を入力すると、その期間に含まれるイベントログデータについて、利用者名の一覧が取得され、その一覧が、プルダウンメニューで指定可能に構成されている。
【符号の説明】
【００８４】
１  排泄検知システム
２  情報処理装置
２１  演算装置（ＣＰＵ）
２２  主記憶装置（ＲＡＭ）
２３  補助記憶装置
２４  通信制御部
２５  通信インタフェース（ＩＦ）部
２６  表示制御部
２７  表示部
２８  情報入力・指定部
２０１  受信処理手段
２０２  登録処理手段
２０３  分析処理手段
２０４  通知処理手段
２０５  表示処理手段
ＤＢ  データベース
３  中継装置
３１  スイッチ
３２  制御部
３３  通信部
３４  バッテリ装置
３５  装置本体
３６  電源接続部
３０１  受信処理手段
３０２  送信処理手段
３０３  状態制御手段
４  センサ装置
４１  センサ
４２  制御部
４３  通信部
４４  バッテリ装置
４０１  発信処理手段
５  通信ネットワーク
６  吸収性物品
６１  物品本体
６２  導電部
【図１】
2020081018.tif 000003
【図２】
2020081018.tif 000004
【図３】
2020081018.tif 000005
【図４】
2020081018.tif 000006
【図５】
2020081018.tif 000007
【図６】
2020081018.tif 000008
【図７】
2020081018.tif 000009
【図８】
2020081018.tif 000010